(57)【要約】【課題】筆記の際、軸方向に過大な筆圧が作用したとき、芯を保護するスライダーを前進させるように芯折れ防止機能付き筆記具を提供する。【解決手段】本体１に、軸方向に移動可能にグリップ部１７を設け、後方にスプリングで付勢する。グリップ部に連動するようスライドシャフト３４を設け、その前端をスライダー２８の後端に対向させる。大きな筆圧がかかると、グリップ部は、スプリングに抗して、本体に対して相対的に前進する。これにより、スライドシャフト３４が前進し、前端でスライダー２８を押し、該スライダーはテーパー１３の先端からさらに前進し、芯の先端を保護する。【選択図】図２
2019195969.tif 000002
【特許請求の範囲】
【請求項１】
本体の先端に設けたテーパーと、該テーパーに前後動可能に挿入されたスライダーを具備し、本体内に設けた芯繰り出し機構により芯を送り出してスライダーで保護する形式の筆記具において、本体の外周に軸方向に移動可能に設けられ本体の後方に付勢されたグリップ部と、先端が上記スライダーの後端に対向するよう本体内に前後動可能に設けられたスライドシャフトと、グリップ部とスライドシャフトを連動させる連携部を具備し、過度の筆圧が作用した際、上記グリップ部が芯繰り出し機構に対して相対的に前進し、スライドシャフトが連携部を介してグリップ部とともに前進してその先端でスライダーを押圧し、テーパーに対して相対的に上記スライダーを前進させることを特徴とする芯折れ防止機構付き筆記具。
【請求項２】
上記本体は、前部が小径の保持筒に形成され、該保持筒にグリップ部が摺動可能に嵌着している請求項１に記載の芯折れ防止機構付き筆記具。
【請求項３】
上記本体は、小径の中本体と該中本体の外周に嵌着された外本体を有し、該外本体がグリップ部を形成している請求項１に記載の芯折れ防止機構付き筆記具。
【請求項４】
上記連携部は、グリップ部の内面に設けた連携段部と、スライドシャフトに設けた連携爪であり、該連携爪は上記連携段部に係合するよう突出している請求項１〜３のいずれかに記載の芯折れ防止機構付き式筆記具。
【発明の詳細な説明】
【技術分野】
【０００１】
本発明は、筆圧が過度にかかった場合に、芯折れを防止するようにした芯折れ防止機構付き筆記具に関するものである。
【背景技術】
【０００２】
シャープペンシル等の筆記具において、大きな筆圧が作用した際、芯が折れないように軸筒の先端から突出している芯ホルダーを前進させて芯を保護する芯折れ防止機構付き筆記具が知られている(例えば特許文献１参照)。特許文献１に記載の筆記具は、軸筒を傾斜させたときに軸筒の径外方向に加わる力によりホルダーを前進させるようにした構成であり、径外方向の力を前方に作用する力に変換するためのカム等の運動方向変換手段が必要になり、構成が複雑である。その上、ホルダーを前進させるためには、軸筒を傾けることが必須であり、そのため、ホルダーにより保持されている芯は偏芯することになり、使用感もよくない。また、軸筒の軸方向に作用する過大な筆圧に対しては対応することができない。
【０００３】
軸筒の径外方向に加わる力ではなく、軸筒の軸方向に作用する力により芯折れを防止するようにした筆記具も提案されている(例えば特許文献２、３参照)。特許文献２に記載の筆記具は、筆圧が高くなったとき使用者が軸筒のグリップ部を強く握る傾向にあることに着眼し、軸筒本体のグリップ部の外周に隙間を開けて円環部材を嵌着し、この握り力により円環部材の内周面を軸筒本体の外周面に当接させ、円環部材の端縁に設けた傾斜面を介して先口体（ホルダー）を前進させる構成である。そのため、普段は円環部材が軸筒の外周から浮いている状態であり、円環部材をグリップすると、遊びがあるから、筆記感がよくない。
【０００４】
また、特許文献３に記載の筆記具は、筆記芯ユニットに加えられる軸筒の軸方向後方に向かう力を、軸方向前方に向かう力に変換するために、軸筒内に運動方向変換手段を設け、口部材（ホルダー）を軸方向前方に移動させるものである。具体的には、運動方向変換手段として、両側に円柱状の固定突起を有する円環状の揺動体を形成し、この固定突起を軸筒内に揺動可能に固定して円環状の揺動体を揺動させるようにした揺動部材を設けてあり、軸方向後方に向かう力により揺動体の円環の一端が後方に押され、その反動として該揺動体の円環の他端は前方に揺動し、このシーソーのような動きにより口部材を前方に移動させている。そのため、軸筒内部に、円環状の揺動体をシーソーのように揺動させるための空間が必要であり、構成が複雑になり、組立も面倒で、故障を生じやすい。
【先行技術文献】
【特許文献】
【０００５】
【特許文献１】特許第５８２７６７５号公報（特許請求の範囲、段落０００９〜００１１、図１、図４）
【特許文献２】特開２０１７−７２０４号公報（特許請求の範囲、段落００１２、００２２〜００２４、図２、図３）
【特許文献３】特開２０１７−１０９３５１号公報（特許請求の範囲、段落００２３、００２８、図２、図３）
【発明の概要】
【発明が解決しようとする課題】
【０００６】
本発明の解決課題は、軸筒の先端に設けたテーパー(口金)に、芯を保護するスライダーを前後動可能に設けた筆記具において、過度の筆圧が作用した際、軸筒の軸方向に加わる力により上記スライダーを前進させて、芯を保護できるようにした芯折れ防止機構付き筆記具を提供することである。
【課題を解決するための手段】
【０００７】
本発明によれば、本体の先端に設けたテーパーと、該テーパーに前後動可能に挿入されたスライダーを具備し、本体内に設けた芯繰り出し機構により芯を送り出してスライダーで保護する形式の筆記具において、本体の外周に軸方向に移動可能に設けられ本体の後方に付勢されたグリップ部と、先端が上記スライダーの後端に対向するよう本体内に前後動可能に設けられたスライドシャフトと、グリップ部とスライドシャフトを連動させる連携部を具備し、過度の筆圧が作用した際、上記グリップ部が芯繰り出し機構に対して相対的に前進し、スライドシャフトが連携部を介してグリップ部とともに前進してその先端でスライダーを押圧し、テーパーに対して相対的に上記スライダーを前進させることを特徴とする芯折れ防止機構付き筆記具が提供され、好ましくは、上記連携部は、グリップ部の内面に設けた段部と、該段部に当接するよう上記スライドシャフトに突設した係止爪を含んでいる上記芯折れ防止機構付き筆記具が提供される。
【０００８】
また、本発明によれば、上記本体の前部外周は小径に形成され、該小径部にグリップ部が嵌着されている上記芯折れ防止機構付き筆記具若しくは上記本体は、小径の中本体と該中本体の外周に嵌着された外本体を有し、該外本体がグリップ部を形成している上記芯折れ防止機構付き筆記具が提供される。
【発明の効果】
【０００９】
本発明は上記のように構成され、本体の外周に設けたグリップ部が本体の後方に付勢されているので、通常の筆記の際にはグリップ部を握って支障なく筆記することができるが、筆記時に過大な筆圧が作用すると、芯は本体内に設けられた芯繰り出し機構で把持されているので、後退が阻止され、相対的にグリップ部が前進する。すると、連携部を介してスライドシャフトはグリップ部と一緒に前進し、該スライドシャフトは、先端がスライダーの後端に対向しているから、スライダーを押圧し、該スライダーを上記テーパーに対して相対的に前進させ、該スライダーはテーパーの先端から押し出され、芯の外周を十分に覆って芯折れを防止することができる。
【００１０】
上記本体の前部を小径に形成してグリップ部をこの小径部に摺動可能に嵌着すると、従来のグリップ付き筆記具と同様に違和感なく使用でき、また中本体を小径に形成して外周に外本体を嵌着し、この外本体をグリップ部とすると、中本体が隠れて全体の体裁がよい。  
【図面の簡単な説明】
【００１１】
【図１】本発明の一実施例を示す正面図。
【図２】図１に示す筆記具の断面図。
【図３】図１に示す実施例の本体上の断面図。
【図４】図１に示す実施例の本体下の断面図。
【図５】グリップ部の断面図。
【図６】スライドシャフトを示し、Ａは平面図、Ｂは断面図、Ｃは左側面図、Ｄは右側面図。
【図７】図１に示す実施例において、スライダーが前進した状態の断面図。
【図８】図１に示す状態の説明図。
【図９】図７に示す状態の説明図。
【図１０】他の実施例を示す断面図。
【図１１】さらに他の実施例を示す正面図。
【図１２】図１１に示す実施例の断面図。
【図１３】図１１に示す実施例の外本体を示し、Ａは平面図、Ｂは断面図、Ｃは左側面図、Ｄは右側面図。
【図１４】図１１に示す実施例の中本体を示し、Ａは平面図、Ｂは断面図、Ｃは左側面図、Ｄは右側面図、Ｅは底面図。
【図１５】図１１に示す実施例において、スライダーが前進した状態を示す断面図。
【図１６】図１１に示す状態の説明図。
【図１７】図１５に示す状態の説明図。
【図１８】他の実施例を示す断面図。
【発明を実施するための形態】
【００１２】
本発明は、各種の筆記具や棒状の化粧用具の繰出具等に適用することができるが、図に示す実施例では筆記具としてシャープペンシルに適用した実施例につき説明する。なお、本明細書において、「前」、「先」とは芯が繰り出される方向をいい、「後」とは芯が没入される方向をいう。
【００１３】
図１、図２を参照し、軸筒の本体１は、本体上２と、該本体上２に連結される本体下３で構成され、図３に示すように、本体上２にはクリップ４が一体的に形成され、前部内面に係合部５が設けられている。本体下３は、図４に示すように、後部に形成された接続筒６が本体上２に挿入される外径を有し、外周には上記本体上２の係合部５に係合する凹凸状の係合部７が設けられ、接続筒６の内面には軸方向に延びる内面案内溝８が形成されている。上記本体下３の前部には、段部９を介して上記接続筒６よりも小径の保持筒１０が形成され、該保持筒１０の先端を塞ぐ壁面には、保持孔１１が形成され、該保持孔１１の周囲の壁面には弧状の貫通孔１２が対向状態に開口されている。上記保持筒１０の外周にはテーパー１３がねじ着されるねじ部１４が設けられ、かつ軸方向に延びる外面案内溝１５が形成され、該外面案内溝１５に係合する案内突起１６を内面に有するグリップ部１７が摺動可能に保持筒１０に嵌着している。該グリップ部１７は、筒状に形成され、上記本体下３の段部９に案内突起１６の後端が当接するまで後方に移動できるようテーパー１３の後端と案内突起１６の前端のスプリング受部１８間に装着した筆記用スプリング１９で後方に付勢され、かつ該筆記用スプリング１９に抗して前進することができる。
【００１４】
上記本体１内には適宜の芯繰り出し機構が設けられている。芯繰り出し機構は、種々に構成することができるが、図に示す実施例では、公知のコレット式芯繰り出し機構が用いられている。すなわち、芯タンク２０の前端に連結されたコレットチャック２１と、本体下３の上記保持筒１０の保持孔１１に出没可能に挿入されチャック２１が後退するとき該チャックを締着するようチャックの先端部に嵌着されたクラッチ２２と、本体下３の後端に嵌着したノックスプリング受２３と芯タンク２０に形成したスプリング受段部２４間に装着され芯タンク２０を後方に付勢するノックスプリング２５を有する。芯タンク２０の後部に嵌着した消しゴム２６のキャップ２７をノックすると、芯タンク２０、チャック２１、クラッチ２２が前進し、クラッチ２２の先端がスライダー２８の後端に当たりクラッチ２２の前進は停止するが、芯２９はさらに前進する。ノックを止めると芯タンク２０は後退するが、芯２９は弾性的なブレーカー３０に仮保持されて、前進位置に保持される。芯タンク２０の後退の途中でクラッチ２２が本体下３の先端の保持孔１１に深く係合すると、チャック２１は締着され、芯２９は確実に把持され、後退は阻止される。
【００１５】
上記スライダー２８は、前部がテーパー１３に前後動可能に挿入され、該前部には芯保護パイプ３１が固定されているが、芯保護パイプ３１を省略することもできる。該スライダー２８の後部に形成したフランジ３２と、テーパー１３の内段部間には、スライダースプリング３３が設けられ、スライダー２８は後方に付勢されている。該スライダー２８の後部のフランジ３２は、上記クラッチ２２が当接するとともにスライドシャフト３４の前端に対向するよう外周が広がっている。
【００１６】
上記スライドシャフト３４は筒状に形成され、上記本体下３の保持筒１０内に軸方向に摺動可能に挿入されている。実施例において、スライドシャフト３４は、後部外周に案内突起３５を有し、該案内突起３５が本体下３に形成した上記内面案内溝８に摺動可能に嵌合して回転が阻止されている。上記案内突起３５の前端は、本体下３の接続筒６の内面の段部３６に対向し、該案内突起３５の後端は上記ノックスプリング受２３に対向し、その間で軸方向に移動可能である。該スライドシャフト３４の前端側には、本体下３の保持筒１０の先部に設けた一対の上記貫通孔１２を挿通して前方に突出するよう押圧片３７が対向状態に形成され、該押圧片３７の前端は上記スライダー２８のフランジ３２に対向している。
【００１７】
上記グリップ部１７とスライドシャフト３４は、グリップ部１７が前進するとき、スライドシャフト３４も一緒に連動して前進するよう連携部により連携されている。該連携部は、種々の態様に設けることができるが、図に示す実施例では、上記グリップ部１７の内面に連携段部３８を設け、スライドシャフト３４の筒状部の一部を切り欠いて形成した弾性片３９の後端に半径方向に突出する連携爪４０を突設し、該連携爪４０が本体下の保持筒１０から突出して上記連携段部３８に係合するよう該本体下３の保持筒１０に、軸方向に広がる窓４１を形成してある。なお、連携部としては、スライドシャフト側に連携段部を設け、グリップ部側に連携爪を設けたり、グリップ部とスライドシャフトの間に別の部材を設けて連動させるようにしてもよい（図示略）。
【００１８】
上記の構成により、筆記の際は、図２に示すように、グリップ部１７は後退している。したがって、図８に示すように、グリップ部１７の後端から芯保護パイプ３１の先端までは、長さＢであり、この状態で筆記しているとき、芯２９は芯保護パイプ３１の先端から長さＡ突出している。そして、筆記により軸方向に過大な力がかかると、芯２９は後退しないので、図７に示すよう、グリップ部１７は筆記用スプリング１９に抗して本体下３に沿って前進する。このとき、図９に示すように、本体上２に対して相対的に長さＡ前進するから、図９に示すように、芯２９は先端部まで十分に保護される。
【００１９】
上記の構成では、グリップ部１７は筆記用スプリング１９に抗して前進したが、筆記用スプリングを省略することもできる。例えば、グリップ部１７を後方に付勢するスプリングとして、筆記スプリングに代えて上記スライダースプリング３３でグリップ部１７を後方に付勢することもできる。図１０はそのような実施例を示し、過大な筆圧が生じたとき、グリップ部１７はスライダースプリング３３に抗して前進し、上記実施例とほぼ同様に、スライダー２８が前進して芯２９を確実に保護することができる。
【００２０】
上記実施例では、グリップ部として本体下の外周に筒状のグリップ部を嵌着したが、軸本体をグリップ部とすることもできる。図１１、図１２はそのような実施例を示し、軸筒の本体１は中本体４２と外本体４３で形成され、外本体４３が中本体４２の全体を覆い、芯タンク２０の後部が外本体４３の後方に現れている。
【００２１】
上記図１、図２等に示す実施例と図１１、図１２に示す実施例が大きく相違する点は、この実施例においては、図１、図２に示す本体上がグリップ部と一体的に形成されて、図１３に示すような外本体４３となり、上記本体下が本体の後方に向かって長く延びて中本体４２となっている点である。その他、ノックスプリング受の形状が多少相違しているが、基本的な機能に変わりはないので、図１１以降の図において、上述の実施例と共通する部分は同じ番号を付してある。
【００２２】
上記外本体４３は、図１３に示すように、後部の外面にクリップ４４を有し、前部の外面には握り部４５が形成されている。内面には、筆記用スプリング１９のスプリング受部１８と、中本体４２との回転止めの案内突起１６と、スライドシャフト３４の連携爪４０が通過可能な挿通溝４６と該連携爪４０が係合する連携段部３８が形成されている。なお、この実施例では外本体４３の後面内部に適宜のスプリング受を形成して中本体４２の後部との間に筆記用スプリングを装着して外本体４３を後方に付勢することもできる（図示略）。
【００２３】
上記中本体４２は、図１４に示すように、スライドシャフト３４に形成した案内突起３５が挿通する内面案内溝８を有する接続筒６が後部に延びており、その前部には段部を介して保持筒１０が形成され、保持筒１０の外周には外本体４３との回転を止める外面案内溝１５と、スライドシャフト３４の連携爪４０が突出する窓４１がある。保持筒１０の前部には、クラッチ２２が嵌合する保持孔１１とその周囲に開口する貫通孔１２がある。スライドシャフト３４は図６に示す構成と同様であり、上記貫通孔１２を通してスライダー２８の後端に対向する押圧片３７やテーパー１３等も同じ構成である。
【００２４】
上記の構成により、図１１に示すように、通常の筆記の際は、図１６に示すように、外本体４３の後端と消しゴムキャップ２７の間は長さＣであり、テーパー１３先端と芯保護パイプ３１の先端間の長さはＥであり、芯２９は長さＤ突出している。そして、大きな筆圧がかかると、外本体４３は、図１５に示すように前進し、図１７に示すように、その前進距離は、中本体に対して長さＤとなり、テーパー１３の先端と芯保護パイプ３１の先端間の長さはＤ＋Ｅ となって、芯２９は十分に覆われ、芯折れが防止される。
【００２５】
上述したように、筆記用スプリングを省略してスライダースプリングでグリップ部１７や外本体４３を後方に付勢することもできるが、スライダースプリングを省略して筆記用スプリングでスライダーを後方に付勢することもできる。図１８は、そのような実施例を示し、基本的な構成は上述の実施例と同様なので、同一の符号を付して説明する。この実施例では、スライドシャフト３４の押圧片３７に係止溝４７を設け、この係止溝４７にスライダー２８のフランジ３２の外周を係合させることにより、スライドシャフト３４とスライダー２８を連結している。そして、前端がテーパー１３の後端に当接している筆記用スプリング１９の後端を、外本体４３のスプリング受部に当接させるとともにスライドシャフト３４の連携爪４０に当接させ、上記スライダー２８、スライドシャフト３４及び外本体４３をテーパー１３等に対して後方に付勢している。外本体４３ではなく、上記図１等に示すグリップ部１７の場合も同様にして、グリップ部１７のスプリング受部とスライドシャフト３４の連携爪４０に筆記用スプリング１９の後端を当接することによりスライダー２８等を後方に付勢することができる。このような構成でも、大きな筆圧が作用すると、上本体４３若しくはグリップ部１７がテーパー１３に対して相対的に移動してスライダー２８がテーパー１３の前方に前進し、芯を確実に保護することができる。
【符号の説明】
【００２６】
１    本体
２    本体上
３    本体下
８    内面案内溝
１３  テーパー
１５  外面案内溝
１７  グリップ部
１９  筆記用スプリング
２０  芯タンク
２８  スライダー
２９  芯
３１  芯保護パイプ
３３  スライダースプリング
３４  スライドシャフト
３７  押圧片
３８  連携段部
４０  連携爪
４１  窓
４２  中本体
４３  外本体
【図１】
2019195969.tif 000003
【図２】
2019195969.tif 000004
【図３】
2019195969.tif 000005
【図４】
2019195969.tif 000006
【図５】
2019195969.tif 000007
【図６】
2019195969.tif 000008
【図７】
2019195969.tif 000009
【図８】
2019195969.tif 000010
【図９】
2019195969.tif 000011
【図１０】
2019195969.tif 000012
【図１１】
2019195969.tif 000013
【図１２】
2019195969.tif 000014
【図１３】
2019195969.tif 000015
【図１４】
2019195969.tif 000016
【図１５】
2019195969.tif 000017
【図１６】
2019195969.tif 000018
【図１７】
2019195969.tif 000019
【図１８】
2019195969.tif 000020